(57)【要約】【課題】スラブ上面がＨ形鋼の上側フランジの上面と同一面とされるものにおいて、ウェブにコンクリートを充填するときのコンクリートの充填性を向上させる。【解決手段】梁スラブ構造体２０は、第１スタッド３０と第２スタッド３２が接合されたＨ形鋼２２と、Ｈ形鋼２２に架設された小梁１６と、デッキプレート４２と、デッキ調整板４４と、ウェブコンクリート５０と、スラブコンクリート５２と、を有している。ここで、デッキプレート４２の谷部である端部４２Ｃが上側フランジ２４の下方にあるので、上側フランジ２４とデッキプレート４２との間隔を、上側フランジ２４とデッキプレート４２の山部４２Ａ上面との間隔よりも大きくすることができ、即ち、充填口が広くなって、コンクリートの充填性が向上する。【選択図】図２
2010203139.tif 000002
【特許請求の範囲】
【請求項１】
Ｈ形鋼と、
前記Ｈ形鋼の上側フランジの下面に接合された第１スタッドと、
前記Ｈ形鋼のウェブの両面に接合された第２スタッドと、
前記Ｈ形鋼に架設された小梁と、
前記小梁に載置された波形のデッキプレートと、
コンクリートが打設され又はプレキャスト化されたコンクリートにより前記第２スタッドが内部に埋め込まれ、前記Ｈ形鋼のウェブの両面に構築されたウェブコンクリートと、
前記デッキプレートの上に打設され、上面が前記Ｈ形鋼の上側フランジの上面と同一面とされると共に、前記ウェブコンクリート及び前記第１スタッドと一体とされたスラブコンクリートと、
を有する合成梁。
【請求項２】
前記第１スタッドの前記ウェブ側で、前記第１スタッドに沿って前記Ｈ形鋼の長さ方向へ配置された鉄筋を有する請求項１に記載の合成梁。
【請求項３】
前記Ｈ形鋼の長さ方向と交差する方向に配設された前記スラブコンクリートの配力筋の端部がＵ字状フックとされ、該Ｕ字状フック、前記第１スタッド、及び前記鉄筋が結束されている請求項２に記載の合成梁。
【請求項４】
請求項１から請求項３のいずれか１項に記載の合成梁が柱に連結された建築物。
【請求項５】
上側フランジの下面及びウェブの両面にスタッドが接合されたＨ形鋼を架設し、
前記Ｈ形鋼のウェブに小梁の端部を接合し、
波形のデッキプレートを前記小梁に載置し、
前記スタッドの内側に鉄筋を配置し、
Ｕ字状フックを有する配力筋を前記デッキプレートの上側に配置すると共に、前記Ｕ字状フックを前記上側フランジの下側に配置し、
前記スタッド、前記鉄筋、及び前記Ｕ字状フックを結束し、
前記Ｈ形鋼のウェブの両側に、前記Ｈ形鋼の下側フランジの先端から前記デッキプレートの下面まで型枠を取付け、
前記上側フランジと前記デッキプレートの間から前記型枠と前記ウェブの間にコンクリートを打設し、
前記デッキプレートの上にスラブコンクリートを打設するときに、前記Ｈ形鋼の上側フランジの上面と前記スラブコンクリートの上面が同一面となるように、コンクリート面を均す合成梁の施工方法。
【発明の詳細な説明】
【技術分野】
【０００１】
本発明は、合成梁、建築物、及び合成梁の施工方法に関する。
【背景技術】
【０００２】
従来、建築物には合成梁が用いられている。合成梁は、Ｈ形鋼等からなる鉄骨梁の周囲にコンクリートを打設したものであり、梁としての強度を上げると共に鉄骨梁の火災時の強度劣化を抑制している。
【０００３】
合成梁の例として、Ｈ形鋼の上側フランジと下側フランジの間のウェブ両側部に型枠を設けて、上側フランジ上にデッキプレートを載置し、デッキプレート上にコンクリート打設するときに型枠内にもコンクリートを打設して、梁とスラブを一体で構築したものがある（例えば、特許文献１、２参照）。
【０００４】
特許文献１の合成梁は、デッキプレート端部に貫通孔が形成されており、デッキプレート上にコンクリート打設したときに、コンクリートの一部がデッキプレートの貫通孔を通ってウェブの型枠内に流入するようになっている。
【０００５】
特許文献２の合成梁は、Ｈ形鋼の上側フランジに貫通孔が形成されており、デッキプレート上にコンクリート打設したときに、コンクリートの一部が上側フランジの貫通孔を通ってウェブの型枠内に流入するようになっている。
【０００６】
このように、特許文献１、２の合成梁は、スラブ上面がＨ形鋼の上側フランジの上面よりも上方にあり、スラブ上面と上側フランジ上面が同一面とされるものではない。
【先行技術文献】
【特許文献】
【０００７】
【特許文献１】特開平１０−１０２６５７
【特許文献２】特開平１０−１０２６５８
【発明の概要】
【発明が解決しようとする課題】
【０００８】
本発明は、スラブ上面がＨ形鋼の上側フランジの上面と同一面とされるものにおいて、ウェブにコンクリートを充填するときのコンクリートの充填性が向上する合成梁、建築物、及び合成梁の施工方法を得ることを目的とする。
【課題を解決するための手段】
【０００９】
本発明の請求項１に係る合成梁は、Ｈ形鋼と、前記Ｈ形鋼の上側フランジの下面に接合された第１スタッドと、前記Ｈ形鋼のウェブの両面に接合された第２スタッドと、前記Ｈ形鋼に架設された小梁と、前記小梁に載置された波形のデッキプレートと、コンクリートが打設され又はプレキャスト化されたコンクリートにより前記第２スタッドが内部に埋め込まれ、前記Ｈ形鋼のウェブの両面に構築されたウェブコンクリートと、前記デッキプレートの上に打設され、上面が前記Ｈ形鋼の上側フランジの上面と同一面とされると共に、前記ウェブコンクリート及び前記第１スタッドと一体とされたスラブコンクリートと、を有する。
【００１０】
上記構成によれば、波形のデッキプレートの端部は谷部であり、この谷部がＨ形鋼の上側フランジの下方に配置される。このため、Ｈ形鋼の上側フランジの下方にデッキプレートの山部が配置されることがない。このように、Ｈ形鋼の上側フランジとデッキプレートとの間隔が、Ｈ形鋼の上側フランジとデッキプレートの山部上面との間隔よりも大きくなっており、即ち、ウェブにコンクリートを充填するときの充填口が広くなっているので、コンクリートの充填性が向上する。
【００１１】
また、小梁があることにより、スラブコンクリートに作用する鉛直荷重は、デッキプレートから小梁を経由してＨ形鋼へ伝達され抵抗される。このため、例えば、スラブコンクリートに配力筋を設けるときに、Ｈ形鋼のウェブがあることで各スラブコンクリート間で配力筋を連続させることができない場合でも、スラブコンクリートに作用する鉛直荷重に対する耐力が向上する。
【００１２】
本発明の請求項２に係る合成梁は、前記第１スタッドの前記ウェブ側で、前記第１スタッドに沿って前記Ｈ形鋼の長さ方向へ配置された鉄筋を有する。この構成によれば、Ｈ形鋼の長さ方向で第１スタッドの無い場所に鉄筋があるので、コンクリートの定着性が向上する。
【００１３】
本発明の請求項３に係る合成梁は、前記Ｈ形鋼の長さ方向と交差する方向に配設された前記スラブコンクリートの配力筋の端部がＵ字状フックとされ、該Ｕ字状フック、前記第１スタッド、及び前記鉄筋が結束されている。この構成によれば、スラブコンクリートの配力筋のＵ字状フックがコンクリートに掛かって抜けにくくなるので、配力筋の定着性が向上する。
【００１４】
本発明の請求項４に係る建築物は、請求項１から３のいずれか１項に記載の合成梁が柱に連結されている。この構成によれば、合成梁のコンクリート充填性が向上するので、建築物の施工が容易となる。
【００１５】
本発明の請求項５に係る合成梁の施工方法は、上側フランジの下面及びウェブの両面にスタッドが接合されたＨ形鋼を架設し、前記Ｈ形鋼のウェブに小梁の端部を接合し、波形のデッキプレートを前記小梁に載置し、前記スタッドの内側に鉄筋を配置し、Ｕ字状フックを有する配力筋を前記デッキプレートの上側に配置すると共に、前記Ｕ字状フックを前記上側フランジの下側に配置し、前記スタッド、前記鉄筋、及び前記Ｕ字状フックを結束し、前記Ｈ形鋼のウェブの両側に、前記Ｈ形鋼の下側フランジの先端から前記デッキプレートの下面まで型枠を取付け、前記上側フランジと前記デッキプレートの間から前記型枠と前記ウェブの間にコンクリートを打設し、前記デッキプレートの上にスラブコンクリートを打設するときに、前記Ｈ形鋼の上側フランジの上面と前記スラブコンクリートの上面が同一面となるように、コンクリート面を均す。
【００１６】
上記構成によれば、Ｈ形鋼の梁が撓んでいても、その撓みに合わせてスラブコンクリートの上面が均されるので、Ｈ形鋼の上側フランジの上面とスラブコンクリートの上面との段差の発生を抑えられる。
【発明の効果】
【００１７】
本発明は、上記構成としたので、スラブ上面がＨ形鋼の上側フランジの上面と同一面とされるものにおいて、ウェブにコンクリートを充填するときのコンクリートの充填性が向上する。
【図面の簡単な説明】
【００１８】
【図１】本発明の第１実施形態に係る建物の合成梁の平面図である。
【図２】本発明の第１実施形態に係る合成梁の各部材の配置状態を示す斜視図である。
【図３】（ａ）、（ｂ）本発明の第１実施形態に係る合成梁の小梁無しの位置、有りの位置での断面図である。
【図４】（ａ）、（ｂ）本発明の第１実施形態に係る合成梁の小梁無しの位置、有りの位置でのコンクリート打設前の状態を示す断面図である。
【図５】（ａ）、（ｂ）本発明の第２実施形態に係る合成梁の小梁無しの位置、有りの位置での断面図である。
【図６】（ａ）、（ｂ）本発明の第２実施形態に係る合成梁の小梁無しの位置、有りの位置でのコンクリート打設前の状態を示す断面図である。
【発明を実施するための形態】
【００１９】
本発明の合成梁、建築物、及び合成梁の施工方法の第１実施形態を図面に基づき説明する。図１には、地盤（図示省略）上に構築された建築物としての建物１０の一階層が平面図で示されている。建物１０は、複数の柱１２と梁スラブ構造体２０で構成されている。梁スラブ構造体２０は、柱１２に架設された合成梁１４と、合成梁１４に架設されたＨ形鋼を有する小梁１６と、小梁１６の上側にコンクリート打設され合成梁１４の上面と同一面で広がるスラブ１８とを有している。
【００２０】
図３（ａ）、（ｂ）には、梁スラブ構造体２０の断面図が示されている。なお、図３（ａ）は、合成梁１４の小梁１６が設けられていない位置での断面図であり、図３（ｂ）は、合成梁１４の小梁１６が設けられている位置での断面図となっている。
【００２１】
図３（ａ）に示すように、合成梁１４はＨ形鋼２２を有している。Ｈ形鋼２２は、上側フランジ２４、下側フランジ２６、及びウェブ２８を有しており、上側フランジ２４の下面には、鉛直方向を長さ方向とする第１スタッド３０が接合されている。
【００２２】
ここで、上側フランジ２４の端面から第１スタッド３０の軸心までを距離Ｌ１とすると、距離Ｌ１＝４ｃｍとなっている。距離Ｌ１＝４ｃｍは、各種合成構造設計指針で規定された最小値である。なお、ウェブ２８から第１スタッド３０の軸心まで（フトコロ寸法）を距離Ｌ２としている。また、第１スタッド３０のウェブ２８側には、第１スタッド３０に沿ってＨ形鋼２２の長さ方向に鉄筋３４が配置されており、鉄筋３４は、第１スタッド３０に結束線３５で結束されている。
【００２３】
また、ウェブ２８両面には、略水平方向を長さ方向とする第２スタッド３２が接合されている。第２スタッド３２には、合成梁１４の補強のための補強筋３６が結束線（図示省略）で取付けられている。
【００２４】
一方、図３（ｂ）に示すように、Ｈ形鋼２２の小梁１６の端部に相当する部位には、小梁１６に向けて突出した接合面３８Ａを有するガセットプレート３８が配設されている。ここで、小梁１６の端部は、ボルト４０によって、ガセットプレート３８の接合面３８Ａに接合されている。
【００２５】
次に、図２及び図３（ａ）、（ｂ）に示すように、小梁１６の上面には、山部４２Ａと谷部４２Ｂが連続形成された波形のデッキプレート４２の他方の端部が載置されている。デッキプレート４２は、小梁１６に載置されていない一方の端部４２Ｃが平面（谷部）となっている。また、デッキプレート４２の端部４２Ｃの下側には、デッキ調整板４４が配設されている。
【００２６】
図３（ａ）、（ｂ）に示すように、デッキプレート４２の上側には、Ｈ形鋼２２の長さ方向と交差する方向に配力筋４６が配設されている。また、配力筋４６と交差してＨ形鋼２２の長さ方向に沿って、主筋４８が配設されている。配力筋４６の端部はウェブ２８に沿うように曲げられた屈曲部４６Ａとなっており、配力筋４６、第１スタッド３０、及び鉄筋３４が結束線３５で結束されている。
【００２７】
ここで、第１スタッド３０及び第２スタッド３２が内部に埋め込まれるようにして、Ｈ形鋼２２のウェブ２８の両面にコンクリートが打設され、ウェブコンクリート５０が形成されている。ウェブコンクリート５０は、ウェブ２８の両面の第２スタッド３２と補強筋３６で落下防止が図られている。
【００２８】
また、Ｈ形鋼２２の上側フランジ２４の上面と同一面となるようにして、デッキプレート４２上にコンクリートが打設され、スラブコンクリート５２が形成されている。ここで、ウェブコンクリート５０とスラブコンクリート５２は一体となっている。なお、小梁１６のＨ形鋼にもコンクリート打設されているが、図示を省略している。
【００２９】
次に、本発明の第１実施形態の作用について説明する。
【００３０】
図４（ａ）に示すように、Ｈ形鋼２２の上側フランジ２４の下面に第１スタッド３０を接合し、ウェブ２８の両面に第２スタッド３２を接合する。そして、第２スタッド３２の近傍に補強筋３６を取付ける。なお、Ｈ形鋼２２には、予め溶接によりガセットプレート３８（図４（ｂ）参照）が設けられている。
【００３１】
続いて、図４（ｂ）に示すように、Ｈ形鋼２２を柱１２（図１参照）の間に架け渡し、上側フランジ２４の上面から小梁１６の上面までの距離が、スラブコンクリート５２（図３参照）の設定厚さに等しくなるように小梁１６を配置する。そして、小梁１６の端部とＨ形鋼２２をガセットプレート３８及びボルト４０で接合する。
【００３２】
続いて、小梁１６の上面にデッキプレート４２を載置する。このとき、デッキプレート４２の端部４２Ｃは、上側フランジ２４の端部下方に配置する。そして、第１スタッド３０のウェブ２８側に鉄筋３４を配置する。また、デッキプレート４２をスポット溶接によって小梁１６の上面に固定する。
【００３３】
続いて、図４（ａ）、（ｂ）に示すように、デッキプレート４２の上側に配力筋４６と主筋４８を配筋する。このとき、配力筋４６の屈曲部４６Ａは、鉄筋３４を越えて上側フランジ２４の下側に配置される。そして、第１スタッド３０、鉄筋３４、及び配力筋４６を結束線３５で結束する。
【００３４】
続いて、Ｈ形鋼２２のウェブ２８の両側に、Ｈ形鋼２２の下側フランジ２６の先端からデッキプレート４２の下面に相当する高さまで鉛直方向に型枠５４を取付ける。そして、型枠５４の上面にデッキ調整板４４を配置し、上側フランジ２４と、デッキ調整板４４及びデッキプレート４２の端部４２Ｃとの間から、型枠５４とウェブ２８の間へコンクリートを打設すると共に、デッキプレート４２上にコンクリートを打設する。
【００３５】
ここで、デッキプレート４２の端部４２Ｃが谷部であり、上側フランジ２４の下方でデッキ調整板４４と重ねられて平板状となっているので、上側フランジ２４の下方にデッキプレート４２の山部４２Ａが配置されることがない。これにより、上側フランジ２４の下面とデッキ調整板４４の上面との間隔Ａは、上側フランジ２４の下面とデッキプレート４２の山部４２Ａ上面との間隔Ｂよりも大きくなり、即ち、ウェブ２８にコンクリートを充填するときの充填口が広くなって、コンクリートの充填性が向上する。
【００３６】
一方、デッキプレート４２上にコンクリートを打設するときは、Ｈ形鋼２２の上側フランジ２４の上面とスラブコンクリート５２（図３参照）の上面とが同一面となるように、コンクリート面を均す。なお、コンクリート面を均すとは、上側フランジ２４上面の予め設定された高さまでコンクリートを打設することではなく、上側フランジ２４の上面高さに合わせながらコンクリートを打設することである。例えば、上側フランジ２４が、端部よりも中央部が下がった撓み状態となっているときは、スラブコンクリート５２の上面を上側フランジ２４の上面に合わせて、端部よりも中央部が下がるように均すことを意味している。
【００３７】
以上の施工工程により、図１〜図３（ａ）、（ｂ）に示すように、梁スラブ構造体２０及び建物１０が構築される。
【００３８】
ここで、小梁１６があることにより、スラブコンクリート５２（図３参照）に作用する鉛直荷重は、デッキプレート４２から小梁１６を経由してＨ形鋼２２へ伝達されるようになっている。これにより、Ｈ形鋼２２のウェブ２８があることで各スラブコンクリート５２間に配力筋４６を連続させることができない場合でも、スラブコンクリート５２に作用する鉛直荷重に対する耐力を向上させることができる。
【００３９】
また、上側フランジ２４の端部から第１スタッド３０の軸心までの距離Ｌ１が最短距離に設定されている。このため、Ｈ形鋼２２のウェブ２８から第１スタッド３０までの距離Ｌ２が、設定可能な範囲内で最長距離となっている。これにより、配力筋４６の定着長が長くなり、配力筋４６の定着性を向上させることができる。
【００４０】
また、Ｈ形鋼２２の合成梁１４が撓んでいても、その撓みに合わせてスラブコンクリート５２の上面が均されるので、Ｈ形鋼２２の上側フランジ２４の上面とスラブコンクリート５２の上面との段差の発生を抑えられる。さらに、Ｈ形鋼２２の長さ方向で第１スタッド３０の無い場所に鉄筋３４があるので、コンクリートの定着性が向上する。
【００４１】
次に、本発明の合成梁、建築物、及び合成梁の施工方法の第２実施形態を図面に基づき説明する。なお、前述した第１実施形態と基本的に同一の部材には、前記第１実施形態と同一の符号を付与してその説明を省略する。
【００４２】
図５（ａ）、（ｂ）には、地盤（図示省略）上に構築された建物６０の一階層の梁スラブ構造体７０の断面図が示されている。なお、建物６０は、複数の柱１２（図１参照）を有しているが、ここでは図示を省略している。梁スラブ構造体７０は、柱１２に架設された複数の合成梁７２と、合成梁７２に架設された小梁９０と、小梁９０の上側にコンクリート打設され合成梁７２の上面と同一面で広がるスラブ７４とを有している。
【００４３】
図５（ａ）に示すように、合成梁７２はＨ形鋼２２を有している。Ｈ形鋼２２のウェブ２８の両面には、下側フランジ２６の幅で、下側フランジ２６の上面から小梁９０の上面に相当する高さまでプレキャスト化されたプレキャストコンクリート７６が形成されている。また、第２スタッド３２の近傍には、合成梁７２の補強のための補強筋７８が取付けられている。
【００４４】
図５（ｂ）に示すように、Ｈ形鋼２２の小梁９０の端部に相当する部位には、小梁９０に向けて突出した接合面９２Ａを有するガセットプレート９２が配設されている。ここで、小梁９０の端部は、ボルト４０によって、ガセットプレート９２の接合面９２Ａに接合されている。
【００４５】
図５（ａ）、（ｂ）に示すように、小梁９０の上面には、デッキプレート４２の他方の端部が載置されている。また、デッキプレート４２の端部４２Ｃの下側には、デッキ調整板４４が載置されている。
【００４６】
デッキプレート４２の上側には、Ｈ形鋼２２の長さ方向と交差する方向に配力筋８０が配設されている。また、配力筋８０と交差してＨ形鋼２２の長さ方向に沿って、主筋４８が配設されている。配力筋８０の端部は、Ｕ字状に曲げられたＵ字状フック８０Ａとなっており、配力筋８０、第１スタッド３０、及び鉄筋３４が結束線３５で結束されている。
【００４７】
さらに、Ｈ形鋼２２の上側フランジ２４の上面と同一面となるようにして、デッキプレート４２上にコンクリートが打設され、スラブコンクリート８２が形成されている。なお、小梁１６のＨ形鋼にもコンクリート打設されているが、図示を省略している。
【００４８】
次に、本発明の第２実施形態の作用について説明する。
【００４９】
図６（ａ）に示すように、Ｈ形鋼２２の上側フランジ２４の下面に第１スタッド３０を接合し、ウェブ２８の両面に第２スタッド３２を接合する。そして、第２スタッド３２の近傍に補強筋７８を取付ける。なお、図６（ｂ）に示すように、Ｈ形鋼２２の所定位置のウェブ２８の両面には、ガセットプレート９２が予め溶接により設けられている。
【００５０】
続いて、図６（ａ）に示すように、型枠（図示省略）を、Ｈ形鋼２２のウェブ２８の両側で、Ｈ形鋼２２の下側フランジ２６の先端から小梁９０の上面に相当する高さまで取付ける。そして、型枠とウェブ２８の間にコンクリートを打設し、プレキャストコンクリート７６を形成する。プレキャストコンクリート７６の養生後、プレキャストコンクリート７６が固定されたＨ形鋼２２を、柱１２（図１と同様）の間に架け渡す。
【００５１】
続いて、図６（ｂ）に示すように、上側フランジ２４の上面から小梁９０の上面までの距離が、スラブコンクリート８２（図５参照）の設定厚さに等しくなるように小梁９０を配置する。そして、小梁９０の端部とガセットプレート９２をボルト４０で接合する。
【００５２】
続いて、小梁９０の上面にデッキプレート４２を載置する。このとき、デッキプレート４２の端部４２Ｃは、上側フランジ２４の端部下方に配置する。そして、図６（ａ）に示すように、第１スタッド３０のウェブ２８側に鉄筋３４を配置する。また、デッキプレート４２を、スポット溶接によって小梁９０の上面に固定する。
【００５３】
続いて、図６（ａ）に示すように、デッキプレート４２の上側に配力筋８０と主筋４８を配筋する。このとき、配力筋８０のＵ字状フック８０Ａは、鉄筋３４を越えて上側フランジ２４の下側に配置される。そして、第１スタッド３０、鉄筋３４、及び配力筋８０を結束線３５で結束する。
【００５４】
続いて、プレキャストコンクリート７６の上面の一部にデッキ調整板４４を配置し、上側フランジ２４と、デッキ調整板４４及びデッキプレート４２の端部４２Ｃとの間から、上側フランジ２４の下側の隙間へコンクリートを打設すると共に、デッキプレート４２上にコンクリートを打設する。
【００５５】
ここで、デッキプレート４２の端部４２Ｃが谷部であり、上側フランジ２４の下方でデッキ調整板４４と重ねられて平板状となっているので、上側フランジ２４の下方にデッキプレート４２の山部４２Ａが配置されることがない。これにより、上側フランジ２４の下面とデッキ調整板４４の上面との間隔Ｃは、上側フランジ２４の下面とデッキプレート４２の山部４２Ａ上面との間隔Ｄよりも大きくなり、即ち、ウェブ２８にコンクリートを充填するときの充填口が広くなって、コンクリートの充填性が向上する。
【００５６】
一方、デッキプレート４２上にコンクリートを打設するとき、Ｈ形鋼２２の上側フランジ２４の上面とスラブコンクリート８２（図５参照）の上面とが同一面となるように、コンクリート面を均す。即ち、上側フランジ２４が、端部よりも中央部が下がった撓み状態となっているときは、スラブコンクリート８２の上面を上側フランジ２４の上面に合わせて、端部よりも中央部が下がるように均す。
【００５７】
以上の施工工程により、図５（ａ）、（ｂ）に示すように、梁スラブ構造体７０及び建物６０が構築される。
【００５８】
ここで、小梁９０があることにより、スラブコンクリート８２（図３参照）に作用する鉛直荷重は、デッキプレート４２から小梁９０を経由してＨ形鋼２２へ伝達されるようになっている。これにより、Ｈ形鋼２２のウェブ２８があることで各スラブコンクリート８２間に配力筋４６を連続させることができない場合でも、スラブコンクリート８２に作用する鉛直荷重に対する耐力を向上させることができる。
【００５９】
また、Ｈ形鋼２２の合成梁７２が撓んでいても、その撓みに合わせてスラブコンクリート８２の上面が均されるので、Ｈ形鋼２２の上側フランジ２４の上面とスラブコンクリート８２の上面との段差の発生を抑えられる。
【００６０】
さらに、Ｈ形鋼２２の長さ方向で第１スタッド３０の無い場所に鉄筋３４があるので、コンクリートの定着性が向上する。また、配力筋８０のＵ字状フック８０Ａがスラブコンクリート８２に掛かって抜けにくくなるので、配力筋８０の定着性が向上する。
【００６１】
なお、本発明は上記の実施形態に限定されない。
【００６２】
第１スタッド３０又は第２スタッド３２の本数は、図３〜図６に示した断面図の２本又は４本だけでなく、６本以上の複数本設けてもよい。また、デッキプレート４２の端部４２Ｃを平面視で上側フランジ２４の端部と重なるように配置してもよい。
【符号の説明】
【００６３】
１０  建物（建築物）
１２  柱（柱）
１４  合成梁（合成梁）
１６  小梁（小梁）
２０  梁スラブ構造体
２２  Ｈ形鋼（Ｈ形鋼）
２４  上側フランジ（上側フランジ）
２８  ウェブ（ウェブ）
３０  第１スタッド（第１スタッド）
３２  第２スタッド（第２スタッド）
３４  鉄筋（鉄筋）
３５  結束線（結束線）
４２  デッキプレート（デッキプレート）
４４  デッキ調整板（デッキ調整板）
４６  配力筋（配力筋）
５０  ウェブコンクリート（ウェブコンクリート）
５２  スラブコンクリート（スラブコンクリート）
５４  型枠（型枠）
６０  建物（建築物）
７０  梁スラブ構造体
７２  合成梁（合成梁）
７６  プレキャストコンクリート（ウェブコンクリート）
８０  配力筋（配力筋）
８０Ａ  Ｕ字状フック（Ｕ字状フック）
８２  スラブコンクリート（スラブコンクリート）
９０  小梁（小梁）
【図１】
2010203139.tif 000003
【図２】
2010203139.tif 000004
【図３】
2010203139.tif 000005
【図４】
2010203139.tif 000006
【図５】
2010203139.tif 000007
【図６】
2010203139.tif 000008